(57)【特許請求の範囲】
【請求項１】
圧縮機（２１）と、減圧機構（２２）と、当該圧縮機及び当該減圧機構が介設された冷媒循環経路を通過する冷媒を外気と熱交換させるための空気熱交換器（１９）と、を有する第１室外ユニット（１７）と、
当該第１室外ユニットの上に配置され、温調機器（２）に対して供給される温調液を前記冷媒との熱交換により加熱または冷却する第２室外ユニット（１）と、
前記第１室外ユニットと前記第２室外ユニットとの間に配置された仕切り板（７１Ｄ）と、を備え、
前記第２室外ユニット内に、温調液供給用の供給口を有するタンク（７）が配置され、
前記仕切り板は、水平面に対して傾斜した傾斜面（ｓ１）と、当該傾斜面の低位側に形成された第１排水穴（７４ｂ）と、を有し、
前記第１排水穴は、鉛直方向から見て前記空気熱交換器の位置よりも外側であって、前記空気熱交換器に対して前記第１室外ユニットの中央と反対側の部分に形成されていることを特徴とする温調装置の室外ユニット（１００）。
【請求項２】
前記仕切り板には、前記傾斜面の高位側において第２排水穴（７４ｄ）が形成されていることを特徴とする請求項１に記載の温調装置の室外ユニット。
【請求項３】
前記第１排水穴及び前記第２排水穴は、鉛直方向から見て前記第１室外ユニットが有する電装品（３２）と重ならない位置に形成されていることを特徴とする請求項２に記載の温調装置の室外ユニット。
【請求項４】
前記仕切り板の鉛直方向上側を向く面には、所定の領域を囲むように遮断壁部（７１Ａ、７１Ｂ、７１Ｃ、７４ｆ）が立設されていることを特徴とする請求項１〜３のいずれか一項に記載の温調装置の室外ユニット。
【請求項５】
前記遮断壁部の少なくとも一部が前記第２室外ユニットのケーシングの外周壁で構成されることを特徴とする請求項４に記載の温調装置の室外ユニット。
【請求項６】
前記遮断壁部の少なくとも一部が前記第２室外ユニットのケーシングの外周壁よりも内側に立設されていることを特徴とする請求項４に記載の温調装置の室外ユニット。
【請求項７】
前記遮断壁部は、前記仕切り板と一体的に形成されていることを特徴とする請求項４〜６のいずれか一項に記載の温調装置の室外ユニット。
【請求項８】
前記第２室外ユニットのケーシング（７０）の内面には、鉛直方向に延びるリブ（７１ｅ）が、当該ケーシングの全周囲、又は、一部に一体的に設けられ、
前記ケーシングの外面には、水平方向に延びるリブ（７１Ｆ）、及び／又は、水平方向に延びるリブ（７１ｈ）と鉛直方向に延びるリブ（７１ｉ）とからなる格子状の格子リブ（７１Ｇ）が、前記ケーシングの全周囲、又は、一部に一体的に設けられていることを特徴とする請求項１〜７のいずれか一項に記載の温調装置の室外ユニット。
【請求項９】
前記仕切り板は、前記第２室外ユニットのケーシング（７０）と一体的に形成されていることを特徴とする請求項１〜８のいずれか一項に記載の温調装置の室外ユニット。 
【発明の詳細な説明】
【技術分野】
【０００１】
本発明は、冷媒を外気と熱交換させるための空気熱交換器を有する第１室外ユニットと、当該第１室外ユニットの上に配置され、温調された温調液を温調機器に対して供給する第２室外ユニットと、を備える温調装置の室外ユニットに関する。
【背景技術】
【０００２】
従来、特許文献１に記載の床暖房付空気調和機が知られている。この床暖房付空気調和機においては、天面パネルがない状態の冷媒回路室外機である冷媒回路室外機相当部上部に、２次側熱媒体の循環供給を行う熱交換ユニットが嵌合係止されている。そして、冷媒回路室外機相当部上部の天面パネルの取り付け部に嵌合係止可能な形状の熱交換ユニット底板を有している。この熱交換ユニット底板には、傾斜面が設けられ、この傾斜の底部で且つ冷媒回路室外機相当部内に設けられた室外熱交換器の真上となる位置に排水穴が設けられている。
この床暖房付空気調和機の構成によると、熱交換ユニットの冷媒配管外周に結露した水が、細かな隙間等から床暖房付空気調和機外郭を伝わり床暖房付空気調和機外へ流れ出る不具合を回避することができる。更に、排水穴に導かれた水は、冷房運転によって高温となっている室外熱交換器に注がれることによって、室外熱交換器の温度が下がるので、効率よい冷房運転を実現することができる。
【０００３】
【特許文献１】特開２００３−２６９７４７号公報
【発明の開示】
【発明が解決しようとする課題】
【０００４】
しかしながら、特許文献１に記載の床暖房付空気調和機の構成によると、例えば水等の２次側熱媒体を熱交換ユニットのタンクに供給する際、誤ってタンクの外に水をこぼしてしまった場合、こぼれた水は排水穴を介して室外熱交換器に注がれることになる。この場合、寒冷地では、室外熱交換器に注がれた水が凍結し易いため問題となる。
【０００５】
そこで、本発明は、上記のような課題を解決するためになされたものであり、寒冷地において、室外ユニット内にこぼれた温調液を速やかに排出して、特に熱交換器において温調水が凍結することを防止することが可能な温調装置の室外ユニットを提供することを目的とする。
【課題を解決するための手段】
【０００６】
第１の発明の温調装置の室外ユニットは、圧縮機と、減圧機構と、当該圧縮機及び当該減圧機構が介設された冷媒循環経路を通過する冷媒を外気と熱交換させるための空気熱交換器と、を有する第１室外ユニットと、当該第１室外ユニットの上に配置され、温調機器に対して供給される温調液を前記冷媒との熱交換により加熱または冷却する第２室外ユニットと、前記第１室外ユニットと前記第２室外ユニットとの間に配置された仕切り板と、を備え、前記第２室外ユニット内に、温調液供給用の供給口を有するタンクが配置され、前記仕切り板は、水平面に対して傾斜した傾斜面と、当該傾斜面の低位側に形成された第１排水穴と、を有し、前記第１排水穴は、鉛直方向から見て前記空気熱交換器の位置よりも外側であって、前記空気熱交換器に対して前記第１室外ユニットの中央と反対側の部分に形成されていることを特徴とする。
【０００７】
この温調装置の室外ユニットでは、第２室外ユニット内に温調液をこぼされた場合であっても、傾斜面に沿って低位側に位置する第１排水穴に向かって流れやすくなる。これにより、第２室外ユニット内にこぼれた温調液を速やかに排出できる。尚、傾斜面の低位側とは、傾斜面における低位側の位置、及び、仕切り板における傾斜面から見て低位側の位置の両方を含む。
また、第１排水穴は、鉛直方向から見て空気熱交換器の位置よりも外側に形成されているため、第１排水穴からの排水が空気熱交換器に注がれることを防ぐことができる。これにより、寒冷地において、排水される温調液が空気熱交換器に付着して凍結することを防止できる。
【０００８】
第２の発明の温調装置の室外ユニットは、前記仕切り板には、前記傾斜面の高位側において第２排水穴が形成されていることを特徴とする。
【０００９】
この温調装置の室外ユニットでは、第２室外ユニット内に温調液が多量にこぼされた場合や、傾斜面の高位側の位置にこぼされた場合であっても、第２排水穴を利用して、こぼされた温調液を速やかに排出できる。また、例えば、室外ユニットの据付状態の変化により、傾斜面の傾きが逆傾斜になった場合であっても、第２排水穴を介して温調液を排水することができるため、こぼれた温調液が第２室外ユニット内に残留しにくい。
【００１０】
第３の発明の温調装置の室外ユニットは、前記第１排水穴及び前記第２排水穴は、鉛直方向から見て前記第１室外ユニットが有する電装品と重ならない位置に形成されていることを特徴とする。
【００１１】
この温調装置の室外ユニットでは、排水穴から排出される温調液が第１室外ユニットが有する電装品に注がれることを防ぐことができる。これにより、短絡等による電装品の故障を防ぐことができる。
【００１２】
第４の発明の温調装置の室外ユニットは、前記仕切り板の鉛直方向上側を向く面には、所定の領域を囲むように遮断壁部が立設されていることを特徴とする。
【００１３】
この温調装置の室外ユニットでは、所定の領域を囲むように立設された遮断壁部により、当該所定の領域にこぼれた温調液を必要以外のところに流さないようにすることが可能になる。
【００１４】
第５の発明の温調装置の室外ユニットは、前記遮断壁部の少なくとも一部が前記第２室外ユニットのケーシングの外周壁で構成されることを特徴とする。
【００１５】
この温調装置の室外ユニットでは、ケーシングの外周壁が遮断壁部としての役割を担うため、簡易な構成で当該室外ユニットを構成できる。
【００１６】
第６の発明の温調装置の室外ユニットは、前記遮断壁部の少なくとも一部が前記第２室外ユニットのケーシングの外周壁よりも内側に立設されていることを特徴とする。
【００１７】
この温調装置の室外ユニットでは、こぼれた温調液がケーシングの外周壁側に広がることを防ぐことができる。これにより、例えば、こぼれた温調液が、仕切り板とケーシングの外周壁との隙間から漏れることを防止できる。
【００１８】
第７の発明の温調装置の室外ユニットは、前記遮断壁部は、前記仕切り板と一体的に形成されていることを特徴とする。
【００１９】
この温調装置の室外ユニットでは、所定の領域を囲むように立設された遮断壁部が、仕切り板と一体的に形成されているので、別途遮断壁部を構成する部材を用意する必要がない。したがって、部品点数が減少し、組立てが容易になる。
【００２０】
第８の発明の温調装置の室外ユニットは、前記第２室外ユニットのケーシングの内面には、鉛直方向に延びるリブが、当該ケーシングの全周囲、又は、一部に一体的に設けられ、前記ケーシングの外面には、水平方向に延びるリブ、及び／又は、水平方向に延びるリブと鉛直方向に延びるリブとからなる格子状の格子リブが、前記ケーシングの全周囲、又は、一部に一体的に設けられていることを特徴とする。
【００２１】
この温調装置の室外ユニットでは、第２室外ユニットのケーシングの周囲に一体的にリブ又は格子リブが設けられているため、当該ケーシングの強度を増加させることができる。
【００２２】
第９の発明の温調装置の室外ユニットは、前記仕切り板は、前記第２室外ユニットのケーシングと一体的に形成されていることを特徴とする。
【００２３】
この温調装置の室外ユニットでは、仕切り板が第２室外ユニットのケーシングと一体的に形成されているので、部品点数が減少し、組立てが容易になる。
【発明の効果】
【００２４】
以上の説明に述べたように、本発明によれば、以下の効果が得られる。
【００２５】
第１の発明では、第２室外ユニット内にこぼれた温調液を速やかに排出できる。また、寒冷地において、排水される温調液が凍結することを防止できる。
【００２６】
また、第２の発明では、第２室外ユニット内に温調液が多量にこぼされた場合や、傾斜面の高位側の位置にこぼされた場合や、傾斜面の傾きが逆傾斜になった場合等でもこぼれた温調液が第２室外ユニット内に残留しにくい。
【００２７】
また、第３の発明では、短絡等による電装品の故障を防ぐことができる。
【００２８】
また、第４〜６の発明では、こぼれた温調液を必要以外のところに流さないようにすることが可能になる。
【００２９】
また、第７の発明では、部品点数が減少し、組立てが容易になる。
【００３０】
また、第８の発明では、第２室外ユニットのケーシングの強度を増加させることができる。
【００３１】
また、第９の発明では、部品点数が減少し、組立てが容易になる。
【発明を実施するための最良の形態】
【００３２】
（第１実施形態）
以下、図面に基づいて、本発明に係る温調装置の室外ユニットの実施形態について説明する。図１は、加熱源としてヒートポンプを用いた床温調装置の水系統及び冷媒系統を示す回路図である。
【００３３】
この発明の温調装置の具体的な実施の形態について、図面を参照しつつ詳細に説明する。まず、図１に示しているシステムは、マルチ型のヒートポンプシステムを利用したもので、一台の室外機１７（第１室外ユニット）に対して、室内ユニット１８と温調水ユニット１（第２室外ユニット）とを並列に接続している。これら室外機１７と温調水ユニット１により室外ユニット１００が構成される。そして室外機１７と室内ユニット１８とによって空気調和機が構成されており、また室外機１７と温調水ユニット１、床温調パネル２等によって床温調機が構成さている。この実施形態において、特徴的なのは、温調装置としての床温調機であるが、いま便宜上、両者について説明する。
【００３４】
まず図１における回路図の床温調機の水系統について説明する。
床温調機（温調装置）は、温調水ユニット１と、家屋の床面に配置された床温調パネル２（温調機器）と、ヒートポンプシステムの室外機１７と、を有して構成される。上記温調水ユニット１と床温調パネル２とは、温調水往き配管３ａと温調水戻り配管３ｂとから成る温調水配管３によって接続されている。そして、この温調水配管３を通して、温調水ユニット１と床温調パネル２との間において、水循環経路を構成し、温調水８（温調液）の循環供給を行うよう構成されている。尚、温調液として、水よりも凝固点が低く凍りにくい不凍液を用いることができる。不凍液としては、例えば、主成分がプロピレングリコールやエチレングリコール等からなる液体が用いられる。
【００３５】
上記温調水ユニット１は、機械室１ａとヘッダ室１ｂとを備えており、上記機械室１ａには、水熱交換器１６、簡易密閉型の膨張タンク７、循環ポンプ９、電装品３３等が設けられている。一方、上記ヘッダ室１ｂには往きヘッダ４、戻りヘッダ６等が設けられている。詳細に説明すると、上記機械室１ａにおける膨張タンク７の底部には往き管１０が接続されており、その先端が循環ポンプ９を介してヘッダ室１ｂの往きヘッダ４に接続されている。上記往きヘッダ４は、略筒状のヘッダ本体４ａと、その基端部に形成された主管接続部４ｂと、ヘッダ本体４ａ外周部の長手方向に並設して形成された複数個（本実施形態では、４個）の分岐管接続部４ｃとから成り、上記主管接続部４ｂに往き管１０が接続され、また各分岐管接続部４ｃに上記床温調パネル２へと通じる温調水往き配管３ａの一端が接続されている。そしてこれら温調水往き配管３ａには、各分岐管接続部４ｃに対応させて開閉弁である熱動弁１５が付設されている。一方、上記温調水往き配管３ａの他端は、床温調パネル２に形成された蛇行形状の温調水循環パイプ１１の一端の接続部５に接続されている。従って、上記膨張タンク７内の温調水８は循環ポンプ９の作動によって往き管１０に供給され、さらに往きヘッダ４で複数本の温調水往き配管３ａに分流されて、各床温調パネル２へと供給される。
【００３６】
一方、上記床温調パネル２に形成された温調水循環パイプ１１のもう一方の接続部５には、温調水戻り配管３ｂが接続されており、さらにその先端がヘッダ室１ｂの戻りヘッダ６に接続されている。上記戻りヘッダ６は、往きヘッダ４と同様に、略筒状のヘッダ本体６ａと、その基端部に形成された主管接続部６ｂと、ヘッダ本体６ａ外周部の長手方向に並設して形成された複数個（本実施形態では４個）の分岐管接続部６ｃとから成り、上記分岐管接続部６ｃに温調水戻り配管３ｂが接続されると共に、上記主管接続部４ｂに戻り管１２が接続されている。また、上記戻り管１２と膨張タンク７とは熱交換路１３によって接続されているが、この熱交換路１３は、以下に述べる冷媒回路の凝縮器又は蒸発器として機能する水熱交換器１６と熱交換可能に設けられており、ここで、上記戻り管１２から返流される温調水８を加熱又は冷却するようにしている。そして、この熱交換路１３の先端が膨張タンク７の底部に接続されている。複数の床温調パネル２の温調水循環パイプ１１を流通した温調水８は、温調水戻り配管３ｂを通って戻りヘッダ６に流入し、この戻りヘッダ６によって各温調水戻り配管３ｂを流通する温調水８が合流されて戻り管１２に供給され、さらに上記熱交換路１３で加熱された後、膨張タンク７に供給される。このとき上記戻り管１２には、温度検知手段である戻り温度検知サーミスタ３５が、また上記水熱交換器１６には、水熱交温度検知サーミスタ３６が取付けられている。
【００３７】
次に冷媒系統について説明する。なお以下においては、暖房運転時を例にしてその説明を行っている。本実施の形態では温調水８の加熱に水熱交換器１６を使用し、この水熱交換器１６と、マルチ型のヒートポンプシステムの室外機１７の室外熱交換器１９（空気熱交換器）との間で冷媒循環回路を構成して、熱交換路１３を流れる温調水８を加熱するようにしている。
【００３８】
また、このヒートポンプシステムの室外機１７に接続された１台の室内ユニット１８を備えており、室外機１７と室内ユニット１８によって空気調和機を構成している。この空気調和機では、冷媒が循環可能な順序で、圧縮機２１、室内ファン２０ａを付設した室内熱交換器２０、減圧機構２２、室外ファン１９ａを付設した室外熱交換器１９を接続して冷媒循環回路を構成している。より詳しく説明すると、圧縮機２１の吐出管２１ａと吸入管２１ｂとが四路切換弁２３の１次ポートに接続されている。そして、上記吸入管２１ｂにアキュムレータ３１が介設される。一方、上記吐出管２１ａには、吐出管温度検知サーミスタ３８が付設されている。また、上記四路切換弁２３の一対の２次ポートの間には第１ガス管２４ａ、室内熱交換器２０、第１液管２４ｂ、減圧機構２２、第２液管２４ｃ、室外熱交換器１９及び第２ガス管２４ｄが、順番に環状に接続されている。このとき、上記室内熱交換器２０と室外熱交換器１９には、それぞれ室内熱交温度検知サーミスタ４３と室外熱交温度検知サーミスタ４１とが付設されており、さらに上記室内ユニット１８と室外機１７には、室内温度検知サーミスタ４４と外気温度検知サーミスタ４２とがそれぞれ取付けられている。
【００３９】
また上記第１液管２４ｂには、上記温調水ユニット１内に設けられた各ヘッダ４、６と同様の略筒状のヘッダ２６が介設されており、このヘッダ２６と室内熱交換器２０とを結ぶ間の部分が連絡配管２５の液管２５ａとなる。同様に上記第１ガス管２４ａにも略筒状のヘッダ２７が介設されており、このヘッダ２７と室内熱交換器２０とを結ぶ間の部分が連絡配管２５のガス管２５ｂとなる。そして、上記ヘッダ２６に接続されたもう１つの連絡配管２８である液管２８ａが、温調水ユニット１の水熱交換器１６の一端に接続され、また上記ヘッダ２７に接続されたもう１つの連絡配管２８であるガス管２８ｂが、水熱交換器１６の他端に接続されている。これによって、四路切換弁２３には室外熱交換器１９、減圧機構２２、温調水ユニット１の水熱交換器１６が環状に接続されることになる。また、連絡配管２５、２８の各液管２５ａ、２８ａはそれぞれ電動膨張弁２９、３０を介してヘッダ２６に接続されており、この電動膨張弁２９、３０の開閉を適宜制御することによって、室内ユニット１８及び温調水ユニット１の両方に供給する冷媒量を制御できるように成っている。ここで、上記液管２５ａの室内ユニット１８側と、液管２８ａの温調水ユニット１側には、それぞれ液管温度検知サーミスタ３９、３７が付設されており、上記ガス管２５ｂ、２８ｂの室外機１７側には、それぞれガス管温度検知サーミスタ４０ａ、４０ｂが付設されている。
【００４０】
なお、室外機１７に設けた電装品３２には、電源から例えば２００Ｖ、２０Ａの電力が供給され、室外機１７内の電気的制御が行われる。また、上記床温調機には、室内の冷暖房運転の開始や停止等の操作を行うためのワイヤレスリモコン４５と、床の冷暖房に対して同様の操作を行うためのワイヤードリモコン４６とがそれぞれ設けられている。なおこれら各リモコン４５、４６によって、利用者が希望する室温、床温等の設定も行われる。
【００４１】
さらに、この室外機１７の電装品３２と室内ユニット１８に設けた電装品３４、及び上記室外機１７の電装品３２と温調水ユニット１に設けた電装品３３とは、それぞれ信号・電源線で接続されている。このため、空気調和機と温調水ユニット１とを連動させる設定が利用者によって行われると、例えばワイヤレスリモコン４５における運転開始操作で、空気調和機と温調水ユニット１とを併用した運転を開始させることも可能である。
【００４２】
尚、本実施形態において室外機１７の電装品３２と温調水ユニット１の電装品３３とは、別々に配置されているが、この場合に限らない。例えば、電装品３２の機能と、電装品３３の機能との両方の機能を備える電装品を室外機１７に配置した構成であってもよい。
【００４３】
次に上記床温調機及び空気調和機の各運転動作について説明する。このシステムでは、上記したようにリモコン等からの指示に基づいて、冷房運転又は暖房運転が可能である。そこで、まず室内の冷房運転のみを行う場合には、温調水ユニット１側の電動膨張弁２９を閉じた状態において、四路切換弁２３を図１に示す実線方向とは逆方向に切り換え、圧縮機２１を駆動する。すると冷媒が圧縮機２１から順に室外熱交換器１９、減圧機構２２、室内熱交換器２０と流通し、室外熱交換器１９が凝縮器として機能すると共に、室内熱交換器２０が蒸発器として機能し、これによって、冷房運転を行うことができる。
【００４４】
一方、室内の暖房運転のみを行う場合には、温調水ユニット１側の電動膨張弁２９を小開度に維持した状態において、四路切換弁２３を図１に示す実線方向に切り換え、圧縮機２１を駆動する。すると冷媒が圧縮機２１から順に室内熱交換器２０、減圧機構２２、室外熱交換器１９と流通し、室外熱交換器１９が蒸発器として機能すると共に、室内熱交換器２０が凝縮器として機能し、これによって、暖房運転を行うことができる。
【００４５】
また、床暖房運転のみを行う場合には、上記室内ユニット１８側の電動膨張弁３０を小開度に維持し、温調水ユニット１側の電動膨張弁２９を開いた状態において、圧縮機２１を駆動し、水熱交換器１６を凝縮器として機能させると共に、室外熱交換器１９を蒸発器として機能させる。そして、この状態で上記温調水ユニット１内の循環ポンプを駆動する。すると、膨張タンク７内の温調水８が往き管１０内に流出し、温調水配管３及び温調水循環パイプ１１を介して戻り管１２に返流され、次いで熱交換路１３を流通する。このとき凝縮器として機能している水熱交換器１６によって、上記熱交換路１３を流れる温調水８が加熱され、その後、膨張タンク７内へと供給される。そしてこのような運転を継続して行うことによって、床暖房運転を行うことができる。また本実施の形態においては、主に床暖房について述べているが、上記室外熱交換器１９を凝縮器として機能させると共に、水熱交換器１６を蒸発器として機能させれば、温調水８が冷却されるため、これによって床冷房運転を行うこともできる。さらに上記室内ユニット１８と温調水ユニット１との両側の電動膨張弁２９、３０を両方とも開とすることにより、室内と床との冷暖房を同時に行うことも可能である。
【００４６】
図２は、本発明の実施形態に係る床温調装置（温調装置）の室外ユニットの外観を示す図であり、図２（ａ）は正面図、図２（ｂ）は右側面図、図２（ｃ）は平面図である。また、また、図３は、図２に示す室外ユニットにおけるケーシング本体部７１の斜視図である。また、図４は、図２に示すケーシング本体部７１を示す平面図である。図５は、図４に示すケーシング本体部７１のＡ−Ａ断面矢視図である。図６は、図４に示すケーシング本体部７１のＢ−Ｂ断面矢視図である。また、図９は、図２に示す室外ユニットの背面側を示す斜視図であり、天板７２、右側板部７３、配管カバー６１及び配管の一部を省略して示している。
【００４７】
図２に示すように、室外ユニット１００は、室外機１７と、当該室外機１７の上に設けられた温調水ユニット１とを備えている。
室外機１７は、周囲を覆うケーシング６０を備えている。ケーシング６０は、上部が開口した状態で構成される。当該ケーシング６０の上部に、後述する温調水ユニット１の周囲を覆うケーシング７０の下部が嵌め込まれて、当該温調水ユニット１が載置される。また、当該ケーシング６０内に、圧縮機２１、減圧機構２２、室外熱交換器１９（空気熱交換器）、電装品３２等が設けられている。尚、ケーシング６０の右側面には、着脱可能な配管カバー６１が取り付けられている。
【００４８】
温調水ユニット１は、膨張タンク７、循環ポンプ９、水熱交換器１６等を備えており、これらの部品等を内部に収容するケーシング７０で周囲を覆われている。
ケーシング７０は、ケーシング本体部７１と、当該ケーシング本体部７１の上部に着脱自在に取り付けられた天板７２と、当該ケーシング本体部７１の右側面側を覆うように着脱自在に取り付けられた右側板部７３と、を有する。図３に示すように、ケーシング本体部７１は、温調水ユニット１と、その下方に位置する室外機１７との間を仕切るように配置された底板部７１Ｄ（仕切り板）と、当該底板部７１Ｄの周りを取り囲むように立設された前板部７１Ａ、左側板部７１Ｂ、及び後板部７１Ｃとが樹脂で一体的に形成されたものである。即ち、ケーシング７０の内外を水平方向において仕切る外周壁は、前板部７１Ａと、左側板部７１Ｂと、後板部７１Ｃと、右側板部７３とで構成されている。また、後板部７１Ｃと右側板部７３との開口部分には配管カバー７６が取り付けられている（図２参照）。
【００４９】
尚、図３に示すように、当該前板部７１Ａ、左側板部７１Ｂ、及び後板部７１Ｃの内側を向く面には、上下方向（略鉛直方向）に略同形状で、又は、上方に向かって細くなるように延びるリブ７１Ｅが複数形成されている。また、当該前板部７１Ａ、左側板部７１Ｂの外側を向く面には、略水平方向に延びるリブ７１Ｆが上下方向において複数形成されている。また、図９に示すように、後板部７１Ｃの外側を向く面には、略水平方向に延びるリブ７１ｈと略鉛直方向に延びるリブ７１ｉとからなる格子状のリブ７１Ｇ（格子リブ）が形成されている。これらのリブ７１Ｅ、リブ７１Ｆ、リブ７１Ｇにより、ケーシング本体部７１の圧縮耐力を向上させることができる。また、内面に形成されたリブ７１Ｆが上下方向において略同形状、又は、上方に向かって細くなるように形成されているので、成型時に金型が抜き易く、容易に成型可能である。尚、ケーシング７０の外面に、リブ７１Ｆ及び格子状のリブ７１Ｇが両方形成されている場合について説明したが、いずれか一方が形成された構成であってもよい。
【００５０】
図３及び図４に示すように、底板部７１Ｄは、底面部材７４と、当該底面部材７４の上面における中央に位置するケーシング７０の長手方向と同方向に延びる一定の領域を取り囲むように当該底面部材７４の上面に立設された壁面部材７５と、を一体的に有している。
【００５１】
図４〜図６に示すように、底面部材７４は、水平面に対して、左側板部７１Ｂと後板部７１Ｃとからなる角部の側が低くなるように傾いた傾斜面ｓ１を有している。当該傾斜面ｓ１は、底面部材７４の上面の長手方向において、底面部材７４の全体または、一部であって（図５参照）、且つ、底面部材７４の上面の前記長手方向と直交する方向において、全体または、一部を占めている（図６斜線部参照）。
【００５２】
傾斜面ｓ１は、図５に示す断面において、底面部材７４の上面における他の面に比べて、左側板部７１Ｂ側が低い位置になるように約１°傾いて形成されている。また、傾斜面ｓ１は、図６に示す断面において、底面部材７４の上面における他の面に比べて、後板部７１Ｃ側が低い位置になるように約１°傾いて形成されている。
【００５３】
また、図４に示すように、底面部材７４には、当該底面部材７４の上面における壁面部材７５に囲まれた領域の低位側から、左側板部７１Ｂと後板部７１Ｃとからなる角部に向かって直線的に延びる第１排水溝７４ａが形成されている。当該第１排水溝７４ａには、左側板部７１Ｂと後板部７１Ｃとからなる角部の近傍において、当該第１排水溝７４ａに沿って並ぶ３つの第１排水穴７４ｂが貫通して形成されている。即ち、第１排水穴７４ｂは、底面部材７４における傾斜面ｓ１の低位側の位置に形成されている。尚、壁面部材７５における、当該第１排水溝７４ａの上方部分は切り欠いて形成されている。
【００５４】
また、底面部材７４には、当該底面部材７４の上面における右側板部７３近傍位置から、右側板部７３に近づく方向に向かって延びるとともに、湾曲して後板部７１Ｃ側（配管カバー７６が取り付けられる位置近傍）の縁部に向かって延びる第２排水溝７４ｃが形成されている。当該第２排水溝７４ｃには、後板部７１Ｃ側の縁部の近傍において、当該第２排水溝７４ｃに沿って並ぶ２つの第２排水穴７４ｄが貫通して形成されている。尚、壁面部材７５における、当該第２排水溝７４ｃの上方部分は切り欠いて形成されている。
【００５５】
図４において、鉛直方向から見たときの室外機１７における室外熱交換器１９の位置、及び、室外機１７の電装品３２の位置を、二点鎖線で示している。当該図３に示すように、室外熱交換器１９は、室外機１７のケーシング６０の周壁に沿うように略Ｌ字状に配置されている。尚、室外熱交換器１９におけるＬ字状の屈曲部分は、円弧状に形成されており、ケーシング６０の角部との間に所定の隙間を有して配置されている。
【００５６】
第１排水穴７４ｂは、底面部材７４における、鉛直方向から見て室外熱交換器１９とケーシング６０との間の位置に形成されている。即ち、当該第１排水穴７４ｂは、鉛直方向からみて室外熱交換器１９の位置よりも外側（底面部材７４の外周縁部に近い位置）に形成されている。また、室外機１７の電装品３２は、右側板部７３側に配置されているので、鉛直方向からみて第１排水穴７４ｂが当該電装品３２と重ならない。また、第２排水穴７４ｄについても同様に、底面部材７４における、鉛直方向からみて室外熱交換器１９及び電装品３２と重ならない位置に形成されている。具体的には、鉛直方向からみて、室外熱交換器１９における右側板部７３側の端部の位置よりも右側板部７３に近い位置であって、電装品３２の位置よりも後板部７１Ｃ側の底面部材７４の縁部に近い位置に形成されている。
【００５７】
また、図３及び図４に示すように、底面部材７４には、長手方向の端部近傍において開口部７４ｅが形成されている。そして、底面部材７４の上面には、開口部７４ｅの周囲を覆うとともに当該底面部材７４における右側板部７３が配置される側の外縁部に沿うように壁部７４ｆ（遮断壁部）が一体的に立設されている。当該開口部は、室外機１７と温調水ユニット１との間を連結する配管を通過させるために形成されている。
【００５８】
図７は、図２に示す室外ユニット１００において、ケーシング７０の天板７２、右側板部７３、及び、室外機１７の右側面に取り付けられた配管カバー６１を外した状態を示す図であり、図７（ａ）は正面図、図７（ｂ）は右側面図である。
【００５９】
図７に示すように、液閉鎖弁２８ｃ及びガス閉鎖弁２８ｄを介して、室外機１７から温調水ユニット１に向かって液管２８ａ及びガス管２８ｂが延びている。この液管２８ａ及びガス管２８ｂは、室外機１７の地面近傍から上方に向かって延びるとともに、温調水ユニット１が載置される位置よりも低い位置にて略直角に屈曲して室外機１７のケーシング６０内に入り、当該ケーシング６０内にて、再度上方に延びるように略直角に屈曲して、底面部材７４に形成された開口部７４ｅを通過してケーシング７０内まで延びている。
【００６０】
図８は、天板７２を取り外した状態の、室外ユニット１００の平面図である。
図８に示すように、ケーシング７０内における、左側板部７１Ｂの近傍部には膨張タンク７が配置される。当該膨張タンク７は、壁面部材７５の上に配置されている。また、ケーシング７０の略中央部において、底面部材７４上に、循環ポンプ９が配置される。また、右側板部７３の近傍部に、熱動弁１５が配置される。また、水熱交換器１６は、壁面部材７５の外側を囲むように配置される。
【００６１】
床暖房運転のために膨張タンク７に所定量の温調水を供給する場合は、図２（ｃ）に示すように、天板７２に形成された供給口７２ａの蓋７２ｂを外し、その後、供給口７２ａの略真下に位置する膨張タンク７の供給口の蓋７ａを外して、膨張タンク７内に温調水を注ぎ込むことになる。このとき、温調水がケーシング７０の底にこぼれる場合があり得るが、底面部材７４における壁面部材７５に囲まれた領域にこぼれても、壁面部材７５により、当該壁面部材７５に囲まれた領域外に流れ出ることが防止される。そして、傾斜面ｓ１の傾きにより、第１排水溝７４ａ側に温調水が速やかに流れ、当該第１排水溝７４ａを通って第１排水穴７４ｂから下方に排出される。尚、底面部材７４における壁面部材７５に囲まれた領域内に温調水が大量にこぼれた場合には、第１排水溝７４ａだけでなく、第２排水溝７４ｃを介して第２排水穴７４ｄから温調水が排出される。第１排水穴７４ｂ及び第２排水穴７４ｄから排出された温調水は、室外熱交換器１９に接触せずに速やかに機外に排出される。
【００６２】
また、底面部材７４における壁面部材７５に囲まれた領域外に温調水がこぼれた場合であっても、傾斜面ｓ１の傾きにより、第１排水溝７４ａ側に温調水が速やかに流れ、当該第１排水溝７４ａを通って第１排水穴７４ｂから下方に排出される。また、第１排水溝７４ａ及び第２排水溝７４ｃまでの経路が妨げられていないため、当該第１排水溝７４ａ及び当該第２排水溝７４ｃを介して第１排水穴７４ｂ及び第２排水穴７４ｄから温調水を排出することができる。この場合、連絡配管等が通過する底面部材７４の開口部７４ｅの周りには壁部７４ｆが形成されているため、当該開口部７４ｅから室外機１７側に温調水が流れ込むことはない。これにより、室外機１７の電装品３２に温調水がかかることを防止できる。
【００６３】
尚、膨張タンク７への給水時に限らず、水系統の劣化により水漏れが生じた場合においても、同様に、速やかに機外に温調水を排出することができる。
【００６４】
以上説明したように、本実施形態の係る床温調装置の室外ユニット１００は、圧縮機２１と、減圧機構２２と、当該圧縮機２１及び当該減圧機構２２が介設された冷媒循環経路（第１ガス管２４ａ、第１液管２４ｂ、第２液管２４ｃ、第２ガス管２４ｄ）を通過する冷媒を外気と熱交換させるための室外熱交換器１９と、を有する室外機１７を備えている。また、室外ユニット１００は、室外機１７の上に配置され、床温調パネル２に対して供給される温調水８を前記冷媒との熱交換により加熱または冷却する温調水ユニット１を備えている。更に、室外機１７と温調水ユニット１との間に配置された底板部７１Ｄを備えている。底板部７１Ｄは、水平面に対して傾斜した傾斜面ｓ１と、当該傾斜面ｓ１の低位側に形成された第１排水穴７４ｂと、を有している。第１排水穴７４ｂは、鉛直方向から見て室外熱交換器１９の位置よりも外側に形成されている。
【００６５】
この構成によると、温調水ユニット１のケーシング７０内に温調水をこぼされた場合であっても、傾斜面ｓ１に沿って低位側に位置する第１排水穴７４ｂに向かって流れやすくなる。これにより、温調水ユニット１のケーシング７０内にこぼれた温調水を速やかに排出できる。
【００６６】
また、第１排水穴７４ｂは、鉛直方向から見て室外熱交換器１９の位置よりも外側に形成されているため、第１排水穴７４ｂからの排水が室外熱交換器１９に注がれることを防ぐことができる。これにより、寒冷地において、排水される温調水が空気熱交換器１９において凍結することを防止できる。
【００６７】
尚、傾斜面ｓ１の、他の底面部材７４の上面部分に対しての傾斜角度は、０．５°〜３°の範囲内であることが望ましい。０．５°以上とすることで、こぼれた温調液が少量の場合においても、傾斜面上に温調液が留まりにくく、より確実に低位側に流すことができる。また、３°以下とすることで、底面部材７４が占める高さ方向の幅を狭くすることができるため、ケーシング７０をよりコンパクトに形成することが可能である。
【００６８】
また、壁面部材７５に囲まれた領域の低位側から延びる第１排水溝７４ａを介して壁面部材７５に囲まれた領域の低位側から第１排水穴７４ｂまで温調水を導くことができる。これにより、温調水が底面部材７４上に広がりにくく、当該温調水を集約して第１排水穴７４ｂまで導くことができるため、より凍結を防止することができる。また、第１排水穴７４ｂが第１排水溝７４ａに沿って複数形成されているので、速やかに温調水を排出することができる。
【００６９】
尚、本実施形態においては、底面部材７４の上面における一部に傾斜面ｓ１が形成された場合を説明したが、この場合に限らず、底面部材７４の全面が水平面に対して傾斜するように構成してもよい。また、第１排水溝７４ａを形成することなく、傾斜面ｓ１における低位側の位置に第１排水穴７４ｂを形成しても良い。即ち、傾斜面ｓ１の高位側の位置から第１排水穴７４ｂまでが、下りの経路を含み、上りの経路を含まないような経路で連結されるように構成することで、速やかに温調水を排出することができる。
【００７０】
また、底板部７１Ｄには、傾斜面ｓ１の高位側において第２排水穴７４ｄが形成されている。
【００７１】
この構成によると、温調水ユニット１のケーシング７０内に温調水が多量にこぼされた場合や、傾斜面ｓ１の高位側の位置にこぼされた場合であっても、第２排水穴７４ｄを利用して、こぼされた温調水を速やかに排出できる。また、例えば、室外ユニット１００の据付状態の変化により、傾斜面ｓ１の傾きが逆傾斜になった場合であっても、第２排水穴７４ｄを介して温調水を排水することができるため、こぼれた温調水が温調水ユニット１のケーシング７０内に残留しにくい。
【００７２】
また、第１排水穴７４ｂ及び第２排水穴７４ｄは、鉛直方向から見て室外機１７が有する電装品３２と重ならない位置に形成されている。
【００７３】
この構成によると、第１排水穴７４ｂ及び第２排水穴７４ｄから排出される温調水が室外機１７が有する電装品３２に注がれることを防ぐことができる。これにより、短絡等による電装品３２の故障を防ぐことができる。特に、室外機１７の電装品３２に、温調水ユニット１の電装品３３の機能を集約させて、温調水ユニット１側に電装品を配置しないように構成した場合は、温調水ユニット１を制御するための電装品の短絡等を防ぐことも可能になるため、より効果的である。
【００７４】
また、底板部７１Ｄ（底面部材７４）の鉛直方向上側を向く面には、当該底面部材７４の略全領域を囲むように、遮断壁部としての前板部７１Ａと左側板部７１Ｂと後板部７１Ｃと壁部７４ｆとが立設されている。
【００７５】
この構成によると、底面部材７４の上面を囲むように立設された遮断壁部としての前板部７１Ａと左側板部７１Ｂと後板部７１Ｃと壁部７４ｆとにより、当該底面部材７４の上面にこぼれた水を第１排水穴７４ｂ及び第２排水穴７４ｄ以外のところに流さないようにすることが可能になる。即ち、ケーシング７０は、ドレンパンとしての機能を受け持つことができる。尚、底面部材７４の上面の全周囲に遮断壁部を設け、底面部材７４の上面に排水穴を・BR>`成することも可能であるが、本実施形態に示すように、温調水が漏れても支障の無い部分において部分的に切り欠いて、即ち、底面部材７４の上面の外周に沿って断続的に形成されていてもよい。
【００７６】
また、遮断壁部の一部が温調水ユニット１のケーシング７０の外周壁である前板部７１Ａと左側板部７１Ｂと後板部７１Ｃとで構成されている。
【００７７】
この構成によると、ケーシング７０の外周壁が遮断壁部としての役割を担うため、簡易な構成で室外ユニット１００を構成することができる。
【００７８】
また、遮断壁部としての前板部７１Ａと、左側板部７１Ｂと、後板部７１Ｃと、壁部７４ｆとは、底板部７１Ｄと一体的に形成されているので、底板部７１Ｄとは別に、当該遮断壁部を構成する部材を用意する必要がない。したがって、部品点数が減少し、組立てが容易になる。
【００７９】
また、温調水ユニット１のケーシング７０の内面には、鉛直方向に延びる複数のリブ７１Ｅが、当該ケーシング７０の一部において、一体的に設けられている。また、ケーシング７０の外面には、水平方向に延びるリブ７１Ｆ、及び、水平方向に延びるリブ７１ｈと鉛直方向に延びるリブ７１ｉとからなる格子状のリブ７１Ｇが、ケーシング７０の一部に一体的に設けられている。これらのリブにより、ケーシング７０の強度を増加させることができる。この場合、ケーシング内面の複数のリブ７１Ｅが、それぞれ平行に鉛直方向に延びる形状であるので、成型時において、金型をリブ７１Ｅが延びる方向に沿って抜き易い。したがって、単純な金型の構成で成型することができ、容易に高強度のケーシングを成型することができる。
【００８０】
尚、より強度を増加させるために、ケーシング７０の内面において、当該ケーシング７０の全周囲に渡って、所定の間隔で、鉛直方向に延びる複数のリブ７１Ｅを設けたり、また、ケーシング７０の外面において、当該ケーシング７０の全周囲に渡って、水平方向に延びるリブ７１Ｆ、及び／又は、水平方向に延びるリブ７１ｈと鉛直方向に延びるリブ７１ｉとからなる格子状のリブ７１Ｇを一体的に設けたりしたもよい。
【００８１】
また、底板部７１Ｄはケーシング７０と一体的に形成されているので、室外ユニット１００の部品点数が減少し、組立てが容易になる。また、温調水ユニット１の膨張タンク７や、循環ポンプ９や、水熱交換器１６等を底板部７１Ｄに載置、固定することができる。
【００８２】
尚、本実施形態で示すように、ドレン機能を有する仕切り板を温調水ユニット１のケーシング７０と一体的に形成する場合に限らず、ケーシング７０とは別部材として、当該仕切り板としてのドレンパンを備える構成であってもよい。
【００８３】
また、底面部材７４には、右側板部７３近傍に開口部７４ｅが形成されている。
【００８４】
この構成によると、室外機１７と温調水ユニット１との間をつなぐ連絡配管２８、電気線等を、当該開口部７４ｅを介して配設することが可能である。即ち、連絡配管２８等を、室外機１７のケーシング６０内から、直接、温調水ユニット１のケーシング７０内に連通させることができる。これにより、外観上見栄えをよくすることができる。また、温調水ユニット１のケーシング７０に、当該連絡配管２８や電気線等のための追加の保護カバー等を設ける必要はないため、組立て性を向上させることができるとともに、低コストで構成できる。
【００８５】
また、傾斜面ｓ１は、開口部７４ｅ側が高位側となるように傾斜して形成されている。ので、開口部７４ｅにこぼれた温調水が流れ込むことを防止できる。本実施形態においては、特に、開口部７４ｅの周囲を覆うように壁部７４ｆが形成されているので、更に確実に開口部７４ｅに温調水が流れ込むことを防止できる。これにより、当該開口部７４ｅを通過する電気線等を伝って温調水が電装品３２に流れて電装品３２が短絡等することを防ぐことができる。また、開口部７４ｅを介して室外機１７内に温調水が流れ込んで、温調水が室外機１７内に残留してしまうことを防ぐことができる。
【００８６】
（第２実施形態）
次に、第２実施形態に係る温調装置の室外ユニットついて説明する。
上記第１実施形態では、室外機１７に対して、床温調機を構成する温調水ユニット１と、空気調和機を構成する室内ユニット１８と、が接続された構成について説明した。第２実施形態においては、室外機１０１Ｂに対して温調水ユニット１０１Ａのみが接続された構成の温調装置について説明する。尚、第１実施形態と同一部材には同一符号を付して、詳細な説明を省略する。
【００８７】
図１０は、第２実施形態に係る室外ユニット１０１を含む床温調装置の水系統及び冷媒系統を示す回路図である。
まず、図１０における回路図の床温調装置の水系統について説明する。
床温調装置は、室外に設置された室外ユニット１０１と、家屋の床面に配置された１枚または複数枚の床温調パネル２と、室内に設置されたリモコン４６と、を有して構成される。室外ユニット１０１は、温調水ユニット１０１Ａと、ヒートポンプシステムの室外機１０１Ｂと、を有して構成される。上記温調水ユニット１０１Ａと床温調パネル２とは、温調水往き配管３ａと温調水戻り配管３ｂとから成る温調水配管３によって接続されている。そして、この温調水配管３を通して、温調水ユニット１０１Ａと床温調パネル２との間において、水循環経路を構成し、温調水８の循環供給を行うよう構成されている。
【００８８】
上記温調水ユニット１０１Ａは、第１実施形態と同様に、水熱交換器１６、簡易密閉型の膨張タンク７、循環ポンプ９、往きヘッダ４、熱動弁１５、戻りヘッダ６、電装品３３等が設けられている。尚、戻りヘッダ６と水熱交換器１６との間の管路において、水抜栓１１１が設けられており、水循環経路を流れる温調水を外部に排出することが可能である。また、戻りヘッダ６と水熱交換器１６との間の管路において、温度検知手段である戻り温度検知サーミスタ３５が、また上記水熱交換器１６には、温度検知手段である水熱交温度検知サーミスタ３６が、また水熱交換器１６と膨張タンク７の間の管路において温度検知手段である往き温度検知サーミスタ１１２が、取付けられている。
【００８９】
次に冷媒系統について説明する。この床温調装置においては、第１実施形態に係る床温調機と同様に、温調水８の加熱に水熱交換器１６を使用している。そして、この水熱交換器１６と、ヒートポンプシステムの室外機１０１Ｂの室外熱交換器１９（空気熱交換器）との間で冷媒循環回路を構成して、熱交換路１３を流れる温調水８を加熱するようにしている。
【００９０】
床温調装置では、冷媒が循環可能な順序で、圧縮機２１、温調水ユニット１０１Ａの水熱交換器１６、減圧機構２２、室外ファン１９ａを付設した室外熱交換器１９を接続して冷媒循環回路を構成している。より詳しく説明すると、圧縮機２１の吐出管２１ａと吸入管２１ｂとが四路切換弁２３の１次ポートに接続されている。そして、上記吸入管２１ｂにアキュムレータ３１が介設される。一方、上記吐出管２１ａには、吐出管温度検知サーミスタ３８、マフラ１１３が付設されている。また、上記四路切換弁２３の一対の２次ポートの間には第１ガス管２４ａ、連絡配管としてのガス管２８ｂ、水熱交換器１６、連絡配管としての液管２８ａ、第１液管２４ｂ、減圧機構２２、第２液管２４ｃ、室外熱交換器１９及び第２ガス管２４ｄが、順番に環状に接続されている。第１ガス管２４ａには、四路切換弁２３側から、マフラ１１４及びガス閉鎖弁１１５が順に介設されている。また、第１液管２４ｂには、連絡配管としての液管２８ａ側から液閉鎖弁１１６、フィルター付マフラ１１７、及びストレーナ１１８が順に介設されている。また、第２液管２４ｃには、減圧機構２２側からストレーナ１１９及びフィルター付分岐マフラ１２０が介設されている。尚、第２液管２４ｃは、フィルター付分岐マフラ１２０にて分岐している。室外熱交換器１９は並列する２つの管路を有しており、当該分岐した一対の第２液管２４ｃに接続されている。そして、室外熱交換器１９における並列する２つの管路は、第２ガス管２４ｄにて合流するように構成されている。また、室外熱交換器１９には、室外熱交温度検知サーミスタ４１とが付設されており、さらに室外機１０１Ｂには、外気温度検知サーミスタ４２が取付けられている。下記に述べる床暖房冷房運転のみ、または床冷房運転のみの温調装置においては、上記に記した四路切換弁２３を省略することも可能である。
【００９１】
このように、四路切換弁２３には室外熱交換器１９、減圧機構２２、温調水ユニット１
０１Ａの水熱交換器１６が環状に接続されている。
【００９２】
なお、上記床温調装置には、冷暖房運転の開始や停止等の操作を行うためのワイヤードリモコン４６が設けられている。
【００９３】
第１実施形態においては、室外機１０１Ｂの電装品３２と温調水ユニット１０１Ａの電装品３３とは、別々に配置されているが、第２実施形態の床温調装置においては、電装品３３により、室外機１０１Ｂと温調水ユニット１０１Ａとを制御できるように構成されている。なお、電装品３３は室外機１０１Ｂに配置した構成であってもよい。
【００９４】
次に上記床温調装置の運転動作について説明する。
床温調装置は、リモコン４６等からの指示に基づいて、冷房運転又は暖房運転が可能である。
【００９５】
床暖房運転を行う場合には、ガス閉鎖弁１１５及び液閉鎖弁１１６を開いた状態にして、圧縮機２１を駆動し、水熱交換器１６を凝縮器として機能させると共に、室外熱交換器１９を蒸発器として機能させる。そして、この状態で上記温調水ユニット１０１Ａ内の循環ポンプ９を駆動する。すると、膨張タンク７内の温調水８が往き管１０内に流出し、温調水配管３及び温調水循環パイプ１１を介して戻り管１２に返流され、次いで熱交換路１３を流通する。このとき凝縮器として機能している水熱交換器１６によって、上記熱交換路１３を流れる温調水８が加熱され、その後、膨張タンク７内へと供給される。そしてこのような運転を継続して行うことによって、床暖房運転を行うことができる。また本実施の形態においては、主に床暖房について述べているが、上記室外熱交換器１９を凝縮器として機能させると共に、水熱交換器１６を蒸発器として機能させれば、温調水８が冷却されるため、これによって床冷房運転を行うこともできる。
【００９６】
上述のように室内ユニット１８が接続されない構成の床温調装置の室外ユニット１０１においても、本発明を適用することが可能である。即ち、第１実施形態に係る室外ユニット１００と同様に、室外機１０１Ｂ（第１室外ユニット）と温調水ユニット１０１Ａとの間に仕切り板を配置し、当該仕切り板を、水平面に対して傾斜した傾斜面と、当該傾斜面の低位側に形成された第１排水穴と、を有するように構成し、前記第１排水穴を、鉛直方向から見て室外熱交換器１９の位置よりも外側に形成することにより、寒冷地において、室外ユニット１０１内にこぼれた温調液を速やかに排出して、特に室外熱交換器１９において温調水が凍結することを防止することができる。
【００９７】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００９８】
（１）遮断壁部の少なくとも一部が温調水ユニット１のケーシング７０の外周壁である前板部７１Ａと左側板部７１Ｂと後板部７１Ｃとで構成された実施形態について説明したがこの場合に限らない。図１１は、変形例に係る室外ユニットにおける温調水ユニット１のケーシング外周壁８１、及び、温調水ユニット１と室外機１７との間に配置される仕切り板８２を示す断面模式図である。尚、図１１は、図４におけるＡ−Ａ断面に相当する断面図である。図１１に示すように、変形例に係る室外ユニットにおいては、ケーシング外周壁８１と仕切り板８２とは、別部材として設けられている。具体的には、ケーシング外周壁８１は、温調水ユニット１の水平方向における周囲を覆うように形成された板状部材である。そして、ケーシング外周壁８１は下端部において、内側に屈曲するように形成された屈曲部８１ａを有している。仕切り板８２は、ケーシング外周壁８１の下端部の屈曲部８１ａ上に載置される。また、仕切り板８２の上面は水平面に対して傾斜するように（図１１において左斜め下に向かって傾斜するように）形成されている。そして、仕切り板８２の鉛直方向上側を向く面における、ケーシング外周壁８１よりも内側の位置に、所定の領域（図１１においてＳで示す）を囲むように遮断壁部８３が立設されている。この遮断壁部８３は、仕切り板８２と一体に形成されている。また、図示しないが、遮断壁部８３に囲まれた領域Ｓ内における最も低い位置に排水穴が形成されている。尚、前記領域Ｓ内における最も低い位置が、鉛直方向から見て室外機１７の室外熱交換器１９の位置よりも外側となるように仕切り板８２の上面が傾斜しており、鉛直方向から見て室外機１７の室外熱交換器１９の位置よりも外側となる位置に当該排水穴が形成されている。
【００９９】
この構成によると、ケーシング外周壁８１と仕切り板８２とは、別部材として設けられているので、設計自由度が増したり、板金部品を使って強度を上げることができる。そして、ケーシング外周壁８１よりも内側に形成された遮断壁部８３により、こぼれた温調液が仕切り板８２上をケーシング外周壁８１側に広がることが防止され、こぼれた温調液が、仕切り板８２とケーシング外周壁８１との隙間から、意図しない部分に漏れることを防止でき、当該温調液を確実に排水穴から排出することができる。
【０１００】
（２）本実施形態においては、温調機器としての床温調パネル２に温調水を循環供給する構成について説明したが、この場合に限らず、温調機器としての給湯器に、冷媒との熱交換により加熱されたお湯を供給する場合にも適用することが可能である。
【産業上の利用可能性】
【０１０１】
本発明を利用すれば、第２室外ユニット内にこぼれた温調液を速やかに排出でき、寒冷地において、排水される温調液が凍結することを防止できる。
【図面の簡単な説明】
【０１０２】
【図１】加熱源としてヒートポンプを用いた床温調装置の水系統及び冷媒系統を示す回路図である。
【図２】本発明の第１実施形態に係る床温調装置の室外ユニットの外観を示す（ａ）正面図、（ｂ）右側面図、及び、（ｃ）平面図である。
【図３】図２に示す室外ユニットにおけるケーシング本体部の斜視図である。
【図４】図２に示すケーシング本体部を示す平面図である。
【図５】図４に示すケーシング本体部のＡ−Ａ断面矢視図である。
【図６】図４に示すケーシング本体部のＢ−Ｂ断面矢視図である。
【図７】図２に示す室外ユニットにおいて、天板、右側板部、及び、室外機の右側面に取り付けられた配管カバーを外した状態を示す（ａ）正面図、及び（ｂ）右側面図である。
【図８】天板を取り外した状態の、室外ユニットの平面図である。
【図９】図２に示す室外ユニットにおいて、天板、右側板部、及び、室外機の右側面に取り付けられた配管カバーを外した状態を示す背面側斜視図である。
【図１０】第２実施形態に係る室外ユニットを含む床温調装置の水系統及び冷媒系統を示す回路図である。
【図１１】変形例に係る室外ユニットにおける温調水ユニットのケーシング外周壁、及び、仕切り板を示す断面模式図である。
【符号の説明】
【０１０３】
１  温調水ユニット（第２室外ユニット）
２  床温調パネル（温調機器）
１７  室外機（第１室外ユニット）
１９  室外熱交換器（空気熱交換器）
２１  圧縮機
２２  減圧機構
３２  電装品
７０  ケーシング
７１Ａ  前板部（外周壁、遮断壁部）
７１Ｂ  左側板部（外周壁、遮断壁部）
７１Ｃ  後板部（外周壁、遮断壁部）
７１Ｄ  底板部（仕切り板）
７３  右側板部（外周壁）
７４  底面部材（仕切り板）
ｓ１  傾斜面
７４ａ  第１排水溝
７４ｂ  第１排水穴
７４ｃ  第２排水溝
７４ｄ  第２排水穴
７４ｆ  壁部（遮断壁部）
８１  ケーシング外周壁
８２  仕切り板
８３  遮断壁部
１００、１０１  室外ユニット
１０１Ａ  温調水ユニット（第２室外ユニット）
１０１Ｂ  室外機（第１室外ユニット） 
【図１】
0005012445.tif 000002
【図２】
0005012445.tif 000003
【図３】
0005012445.tif 000004
【図４】
0005012445.tif 000005
【図５】
0005012445.tif 000006
【図６】
0005012445.tif 000007
【図７】
0005012445.tif 000008
【図８】
0005012445.tif 000009
【図９】
0005012445.tif 000010
【図１０】
0005012445.tif 000011
【図１１】
0005012445.tif 000012